(57)【要約】  データ領域を管理するためのデータ構造を備えた記録媒体と記録再生方法及び装置を提供する。録媒体上のデータ構造は、データブロックを格納する仮欠陥管理領域を含み、データブロックは、シーケンシャル記録情報と仮定義構造を含み、シーケンシャル記録情報は、データ領域内の連続記録領域に関する情報を提供し、仮定義構造は、仮欠陥管理領域内の情報を表す少なくとも一つのポインタを含む。
2007528564.tif 000002
【特許請求の範囲】
【請求項１】
記録媒体のデータ領域を管理するためのデータ構造を備えた記録媒体において、
シーケンシャル記録情報と仮定義構造を含む第一のデータブロックを格納する仮欠陥管理領域を含み、前記シーケンシャル記録情報は、データ領域内の連続記録領域に関する情報を提供し、前記仮定義構造は、仮欠陥管理領域内の情報を表す少なくとも一つのポインタを含むことを特徴とする記録媒体。
【請求項２】
前記第一のデータブロックは、少なくとも１クラスタの大きさであることを特徴とする請求項１に記載の記録媒体。
【請求項３】
第一のデータブロック内の１セクタは、仮定義構造のために割り当てられ、残りの３１セクタは、シーケンシャル記録情報のために割り当てられることを特徴とする請求項２に記載の記録媒体。
【請求項４】
前記連続記録領域の第一のセクタは、仮定義構造に隣接して位置することを特徴とする請求項３に記載の記録媒体。
【請求項５】
前記シーケンシャル記録情報は、ヘッダ部と、各連続記録領域に関するエントリ情報と、終了表示情報を含み、前記ヘッダ部は、シーケンシャル記録情報であることを識別可能にし、各エントリ情報は、関連する連続記録領域に関する情報を提供し、終了表示情報は、シーケンシャル記録情報の終りを指示することを特徴とする請求項１に記載の記録媒体。
【請求項６】
前記ヘッダ部は、連続記録領域の数を含むことを特徴とする請求項５に記載の記録媒体。
【請求項７】
前記ヘッダ部は、記録のためにオープンされた連続記録領域の数を含むことを特徴とする請求項６に記載の記録媒体。
【請求項８】
前記ヘッダ部は、記録のためにオープンされた連続記録領域の数を含むことを特徴とする請求項５に記載の記録媒体。
【請求項９】
前記各エントリ情報は、関連する連続記録領域が連続記録領域群のうちの第一の連続記録領域であるか否かを表す情報を含むことを特徴とする請求項５に記載の記録媒体。
【請求項１０】
前記各エントリ情報は、関連する連続記録領域が記録のためにオープンされた連続記録領域であるか否かを表す情報を含むことを特徴とする請求項５に記載の記録媒体。
【請求項１１】
前記各エントリ情報は、関連する連続記録領域内の先頭の物理的セクタ番号を含むことを特徴とする請求項５に記載の記録媒体。
【請求項１２】
前記各エントリ情報は、関連する連続記録領域内の最後の記録アドレスを含むことを特徴とする請求項５に記載の記録媒体。
【請求項１３】
前記各エントリ情報は、関連する連続記録領域の状態情報と、関連する連続記録領域内の先頭の物理的セクタ番号と、関連する連続記録領域内の最後の記録アドレスを含むことを特徴とする請求項５に記載の記録媒体。
【請求項１４】
前記状態情報は、関連する連続記録領域が連続記録領域群のうちの第一の連続記録領域であるか否かを表すことを特徴とする請求項１３に記載の記録媒体。
【請求項１５】
前記仮定義構造は、仮欠陥管理領域内に記録されたデータ領域内の欠陥を表す仮欠陥リストを指示するポインタを含むことを特徴とする請求項１に記載の記録媒体。
【請求項１６】
前記仮欠陥管理領域内には、第二のブロックを含み、前記第二のブロックは、前記第一のデータブロックの後に記録されたシーケンシャル記録情報を含み、前記第二のブロック内に記録されるシーケンシャル記録情報は、第一のブロック内のシーケンシャル記録情報と新規のシーケンシャル記録情報を含むことを特徴とする請求項１に記載の記録媒体。
【請求項１７】
前記第一のデータブロック及び第二のデータブロック内に記録されるシーケンシャル記録情報は、それぞれヘッダ部と、各連続記録領域に関するエントリ情報と、終了表示情報を含み、前記ヘッダ部は、シーケンシャル記録情報であることを識別可能にし、各エントリ情報は、関連する連続記録領域に関する情報を提供し、終了表示情報は、シーケンシャル記録情報の終りを指示し、
前記第一のデータブロック及び第二のデータブロックのシーケンシャル記録情報内のエントリ情報は、エントリ毎にソーティングされることを特徴とする請求項１６に記載の記録媒体。
【請求項１８】
前記第一のデータブロック及び第二のデータブロック内に記録されるシーケンシャル記録情報は、それぞれヘッダ部と、各連続記録領域に関するエントリ情報と、終了表示情報を含み、前記ヘッダ部は、シーケンシャル記録情報であることを識別可能にし、各エントリ情報は、関連する連続記録領域に関する情報を提供し、終了表示情報は、シーケンシャル記録情報の終りを指示し、
前記第一のデータブロック及び第二のデータブロックのシーケンシャル記録情報内の各エントリ情報は、関連する連続記録領域の状態を指示する状態情報を含み、
前記第一のデータブロック及び第二のデータブロックのシーケンシャル記録情報内のエントリ情報は、状態情報によってソーティングされることを特徴とする請求項１６に記載の記録媒体。
【請求項１９】
データ領域を管理するためのデータ構造を備えた記録媒体において、
シーケンシャル記録情報を格納する仮欠陥管理領域を含み、前記シーケンシャル記録情報は、ヘッダ部と、各連続記録領域に関するエントリ情報と、終了表示情報を含み、前記ヘッダ部は、シーケンシャル記録情報であることを識別可能にし、各エントリ情報は、関連する連続記録領域に関する情報を提供し、終了表示情報は、シーケンシャル記録情報の終りを指示することを特徴とする記録媒体。
【請求項２０】
前記ヘッダ部は、連続記録領域の数を含むことを特徴とする請求項１９に記載の記録媒体。
【請求項２１】
前記ヘッダ部は、記録のためにオープンされた連続記録領域の数を含むことを特徴とする請求項２０に記載の記録媒体。
【請求項２２】
前記ヘッダ部は、記録のためにオープンされた連続記録領域の数を含むことを特徴とする請求項１９に記載の記録媒体。
【請求項２３】
前記各エントリ情報は、関連する連続記録領域が連続記録領域群のうちの第一の連続記録領域であるか否かを表す情報を含むことを特徴とする請求項１９に記載の記録媒体。
【請求項２４】
前記各エントリ情報は、関連する連続記録領域が記録のためにオープンされた連続記録領域であるか否かを表す情報を含むことを特徴とする請求項１９に記載の記録媒体。
【請求項２５】
前記各エントリ情報は、関連する連続記録領域内の先頭の物理的セクタ番号を含むことを特徴とする請求項１９に記載の記録媒体。
【請求項２６】
前記各エントリ情報は、関連する連続記録領域内の最後の記録アドレスを含むことを特徴とする請求項１９に記載の記録媒体。
【請求項２７】
前記各エントリ情報は、関連する連続記録領域の状態情報と、関連する連続記録領域内の先頭の物理的セクタ番号と、関連する連続記録領域内の最後の記録アドレスを含むことを特徴とする請求項１９に記載の記録媒体。
【請求項２８】
前記状態情報は、関連する連続記録領域が連続記録領域群のうちの第一の連続記録領域であるか否かを表すことを特徴とする請求項２７に記載の記録媒体。
【請求項２９】
記録媒体上に管理データを記録する方法において、
仮欠陥管理領域内にデータブロックを記録し、前記データブロックは、シーケンシャル記録情報と仮定義構造を含み、前記シーケンシャル記録情報は、データ領域内の連続記録領域に関する情報を提供し、前記仮定義構造は、仮欠陥管理領域内の情報を表す少なくとも一つのポインタを含むことを特徴とする管理データの記録方法。
【請求項３０】
記録媒体からデータを再生する方法において、
仮欠陥管理領域内に記録されたデータブロックから記録媒体内に記録されたデータの一部を再生し、前記データブロックは、シーケンシャル記録情報と仮定義構造を含み、前記シーケンシャル記録情報は、データ領域内の連続記録領域に関する情報を提供し、前記仮定義構造は、仮欠陥管理領域内の情報を表す少なくとも一つのポインタを含むことを特徴とするデータの再生方法。
【請求項３１】
記録媒体上に管理データを記録する装置において、
記録媒体上にデータを記録するために光記録装置を駆動するドライブと、
前記ドライブが仮欠陥管理領域内にシーケンシャル記録情報と仮定義構造を含むデータブロックを記録すべくドライブを制御する制御部と、
を含み、
前記シーケンシャル記録情報は、データ領域内の連続記録領域に関する情報を提供し、前記仮定義構造は、仮欠陥管理領域内の情報を表す少なくとも一つのポインタを含むことを特徴とする管理データの記録装置。
【発明の詳細な説明】
【技術分野】
【０００１】
本発明は、記録媒体の少なくとも１つのデータ領域を管理するためのデータ構造を備えた記録媒体と記録再生方法及び装置に関する。
【背景技術】
【０００２】
大容量のデータの記録が可能な新規な高密度の再生専用及び書き換え可能な光ディスクの規格化が進められており、近い将来、製品に関連する新しい光ディスクの商業的な利用が予想される。例えば、次世代ＨＤ−ＤＶＤ技術に属するブルーレイディスク（ＢＤ）は、既存のＤＶＤのデータ記録容量を遥かに超える能力を備える次世代光記録ソリューションである。
【０００３】
ブルーレイディスクは、６５０ｎｍ波長の赤色レーザーを使用する既存のＤＶＤに比べて遥かに密な４０５ｎｍ波長の青紫色レーザーを使用し、既存のＤＶＤに比べて遥かに大量のデータを格納することができる。
【発明の開示】
【発明が解決しようとする課題】
【０００４】
書き換え可能なブルーレイディスク（ＢＤ−ＲＥ：ＢＤ−Ｒｅｗｒｉｔａｂｌｅ  Ｄｉｓｋ）等のＢＤ（ブルーレイディスク）の規格化が進行している一方、他の規格としての追記型ブルーレイディスク（ＢＤ−ＷＯ：ＢＤ−Ｗｒｉｔｅ  Ｏｎｃｅ  ｄｉｓｋ）の開発も進行している。ＢＤ−ＲＥ等の規格は、記録媒体内のデータ領域の欠陥を管理するデータ構造を提供する。しかし、ＢＤ−ＷＯは、追記型という特性のため、ＢＤ−ＲＥ等の既存のＢＤの規格が直面していない課題を与える。欠陥を管理するための効果的なデータ構造及び方法はＢＤ−ＷＯ規格おいては未だ開発段階である。
【課題を解決するための手段】
【０００５】
本発明による記録媒体は、記録媒体の少なくとも１つのデータ領域を管理するデータ構造を備える。
【０００６】
本発明においては、記録媒体の仮欠陥管理領域（ｔｅｍｐｏｒａｒｙ  ｄｅｆｅｃｔ  ｍａｎａｇｅｍｅｎｔ  ａｒｅａ）は、シーケンシャル記録情報と仮定義構造（ｔｅｍｐｏｒａｒｙ  ｄｅｆｉｎｉｔｉｏｎ  ｓｔｒｕｃｔｕｒｅ）を含む第一のデータブロックを格納する。シーケンシャル記録情報は、データ領域内の連続記録領域（ｃｏｎｔｉｎｕｏｕｓ  ｒｅｃｏｒｄｉｎｇ  ａｒｅａ）に関する情報を提供する。仮定義構造は、仮欠陥管理領域内の情報を表す少なくとも一つのポインタを含む。
【０００７】
本発明においては、シーケンシャル記録情報は、ヘッダ部と、各連続記録領域に関するエントリ情報と、終了表示情報（ｔｅｒｍｉｎａｔｏｒ）を含む。ヘッダ部は、シーケンシャル記録情報であることを識別する。各エントリ情報は、関連する連続記録領域に関する情報を提供し、終了表示情報は、シーケンシャル記録情報の終りを指示する。
【０００８】
本発明においては、ヘッダ部情報は、連続記録領域の数を含み、記録のためにオープンされた連続記録領域の数を含む。
【０００９】
本発明においては、各エントリ情報は、関連する連続記録領域の状態情報と、関連する連続記録領域内の先頭の物理的セクタ番号と、関連する連続記録領域内の最後の記録アドレス（ＬＲＡ）を含む。
【００１０】
本発明においては、データ構造を記録または再生するための方法及び装置を提供する。
【発明を実施するための最良の形態】
【００１１】
本発明を十分に理解させるために、以下、図面を参照して本発明の実施形態を詳細に説明する。便宜上、追記型光ブルーレイディスクを一実施形態における追記型記録媒体の例として用いる。
【００１２】
（記録媒体のトラック種類及びデータ構造）
図１、図２Ａ、図２Ｂ、及び図３を参照して、本発明の実施形態のトラックの種類及びディスクの物理的構造について説明すれば、次の通りである。本発明では、データが連続して記録される連続記録領域をトラックという。図１は、本発明の実施形態の追記型光ディスクの相違する種類の基本トラックを示す図である。より詳しくは、図１は、追記型ディスクを一定の期間使用すると仮定した後の、互いに異なる状態を有する複数の連続記録領域（または、トラック）を示す図である。同図に示すように、トラック１、２は、トラックの先頭領域にデータが記録されるのに対し、トラックの末尾の領域（または、残りの領域）は、追加記録可能な一種のオープントラック（ｏｐｅｎ  ｔｒａｃｋ）に相当する。また、トラック３、４は、完全に記録完了したトラック（トラック４）か、または追加記録が禁止されたトラック（トラック３）である。これらのトラックは、更なる追加記録が不可能なクローズトラック（ｃｌｏｓｅ  ｔｒａｃｋ）になる。とりわけ、図示したトラック３は、未記録の領域を有するトラックがクローズし、トラック内への更なる記録が許容されない時、未記録の領域を‘ｚｅｒｏ’で埋め込み（図１中のハッチング部分）、クローズトラックに変更されたことを示す。この点でトラック内の全ての領域の記録が完了したトラック４と区別される。
【００１３】
トラック５は、最後のトラックであって、常に追加記録が可能な領域を含む。これを、本発明では中間トラック（ｉｎｔｅｒｍｅｄｉａｔｅ  ｔｒａｃｋ）という。従って、本発明が適用されるトラックの種類は、オープントラック、クローズトラック、中間トラックとの三つに大別される。
【００１４】
各トラックは、トラックの種類を問わず、常にデータが記録された最後のアドレス情報（ＬＲＡ；Ｌａｓｔ  Ｒｅｃｏｒｄｅｄ  Ａｄｄｒｅｓｓ）を有する。ＬＲＡは、実際にデータが記録された最後のアドレスを意味する。したがって、トラック３の場合、‘ゼロ埋め込み’（ｚｅｒｏ  ｐａｄｄｉｎｇ）される前の位置がトラック３のＬＲＡになる。より詳しくは、光ディスクの記録単位がクラスタ（ｃｌｕｓｔｅｒ）である場合、１クラスタ内には、計３２個のセクタが存在する。仮に、１クラスタ内における一定部分のセクタだけが記録されれば、残りのセクタは、‘ゼロ埋め込み’になり、ＬＲＡは、‘ゼロ埋め込み’される前の最後のセクタアドレスになる。
【００１５】
クローズトラックを除く各オープントラック及び中間トラックにおいては、データが記録可能なアドレスを指定するＮＷＡ（Ｎｅｘｔ  Ｗｒｉｔａｂｌｅ  Ａｄｄｒｅｓｓ）が決められ、ＮＷＡは、ＬＲＡに続く次のセクタアドレスになる。
【００１６】
図２Ａ及び図２Ｂは、本発明の実施形態の追記型光ディスクの構造及び仮ディスク管理情報を示す図である。本発明が適用可能な追記型光ディスクの構造（図２Ａ）は、本出願人が既に出願した韓国特許出願番号２００３−１５６３４にも記載されている。
【００１７】
図示した追記型光ディスクは、一つの記録層を有する単層ディスクであって、ディスクは、主データ領域の欠陥（例えば、物理的欠陥）のため、主データ領域に記録されるデータを代替記録するためのスペア領域（ＩＳＡ０／ＯＳＡ０）を含む。また、欠陥領域のデータをスペア領域に代替記録することを管理する情報が仮欠陥管理領域（ＴＤＭＡ；Ｔｅｍｐｏｒａｒｙ  Ｄｅｆｅｃｔ  Ｍａｎａｇｅｍｅｎｔ  Ａｒｅａ）上に記録される。
【００１８】
一般に、書き換え可能な光ディスクは、欠陥管理領域（ＤＭＡ；Ｄｅｆｅｃｔ  Ｍａｎａｇｅｍｅｎｔ  Ａｒｅａ）にデータを記録し、又は、消去することができるため、限定された大きさのＤＭＡを有してもよい。これに対し、追記型光ディスクは、一度記録した領域は書き換えできないため、欠陥管理のために、より大きな管理領域が必要になる。従って、ＴＤＭＡは、欠陥管理情報を記録するために使用され、かかる欠陥管理情報は、光ディスクの使用に伴って更新される。また、ディスクの使用が完了すれば、欠陥管理情報の最新のバージョンが光ディスク上のＴＤＭＡからＤＭＡへコピーされる。
【００１９】
図２Ａにおいて、ＴＤＭＡは、リードイン領域に固定された大きさで割り当てられるＴＤＭＡ１と、アウター・スペア領域（ＯＳＡ０）にスペア領域の大きさに連動する大きさを有するＴＤＭＡ２を含む。例えば、スペア領域（ＯＳＡ０）の大きさがＮ×２５６クラスタであれば、スペア領域（ＯＳＡ０）内のＴＤＭＡ２はＰクラスタであって、Ｐ値は、Ｐ＝（Ｎ×２５６）／４で決められる。各ＴＤＭＡ内には、仮欠陥リスト（ＴＤＦＬ；Ｔｅｍｐｏｒａｒｙ  Ｄｅｆｅｃｔ  Ｌｉｓｔ）と仮ディスク管理情報（ＴＤＤＳ）とディスク使用状態情報が記録される。
【００２０】
前述したように、データ領域内に欠陥領域が発生すれば、これをスペア領域に代替するプロセスが行われる。ＴＤＦＬは、かかる一連のプロセスを管理するためにリストとして提供する情報を意味する。例えば、リストは、欠陥領域及び欠陥領域に代替するスペア領域を指定する情報である。本発明の実施形態によれば、ＴＤＦＬの大きさは、ＴＤＦＬ内に記録される情報量に基づいて１〜４クラスタの範囲で可変である。これに対し、本発明の実施形態によれば、ＴＤＤＳは、固定された大きさの１クラスタにて記録される。実施形態において１クラスタのデータブロック内には、ＴＤＤＳとディスク使用状態情報が記録され、これについての詳細は、図３及び図２Ｂを参照して後述する。
【００２１】
まず、図３を参照して、従来の書き換え可能な光ディスクのディスク管理情報と本発明のＴＤＤＳ内に含まれる情報とを比較し説明すれば、次の通りである。
【００２２】
書き換え可能な光ディスクの場合、ＤＤＳは、１クラスタ（３２個のセクタからなる）の一部である６０バイト程度の情報だけを用い、１クラスタ内の残りの領域は、全て‘ゼロ埋め込み’にセットされる。しかし、本発明の実施形態では、既存の書き換え可能な光ディスクにおいて活用した領域（６０バイト）の他にも、残りの領域をディスク管理情報として活用する。従って、本発明のＴＤＤＳは、既存の書き換え可能な光ディスクにおいて活用したＤＤＳは無論のこと、本発明のような追記型光ディスクにおいて必要な情報を引き続いて記録し、その大きさを１セクタ（２０４８バイト）にする。例えば、追記型光ディスクにおいて特に必要とされる情報としては、最新のＴＤＦＬ位置情報等が挙げられる。
【００２３】
図２Ａ及び図３に示すように、本発明の実施形態によれば、連続記録、または、とりわけその中でもトラック情報は、ＴＤＤＳを含む１クラスタの残りの３１セクタ上に記録される。また、トラック情報は、ＴＤＤＳの１クラスタの先頭から３１セクタに記録し、ＴＤＤＳ情報を末尾の３２セクタに記録することも可能である。
【００２４】
従って、本発明の説明において使われたＴＤＤＳは、前述したように広い意味として解釈され、特定の規格によって定義された用語としてのみ解釈されない。
【００２５】
（記録媒体内のトラック情報のデータ構造）
本発明においては、オープントラックの数は制限されない。従って、複数のオープントラック及びクローズトラックが存在する。そして本発明は、効率よくこれを管理するための光記録媒体上のデータ構造を提供する。以下、トラック情報のデータ構造に関する実施形態を、図２Ｂを参照して詳細に説明すれば、次の通りである。
【００２６】
図２Ｂに示すように、トラック情報は、大別して三つの部分から構成される。これは、データ構造がトラック情報であることを示すヘッダ部と、トラック情報を直接表示するトラック情報リストと、トラック情報の終了を知らせる終了表示部とから構成される。
【００２７】
ヘッダ部は、トラック情報内の先頭部分に位置し、トラック情報であることを認識可能にする‘Ｔｒａｃｋ  Ｉｎｆｏ  Ｓｔｒｕｃｔｕｒｅ  ｉｎｄｅｎｔｉｆｉｅｒ’フィールドと、トラック情報のフォーマット情報を指定する‘Ｔｒａｃｋ  Ｉｎｆｏ  Ｆｏｒｍａｔ’フィールドと、現在作成されたトラック情報の記録層の種類を知らせる‘Ｌａｙｅｒ  ｎｕｍｂｅｒ（０  ｏｒ  １）’フィールドを含む。本発明は、片面に一つの記録層を有する追記型光ディスクについて例を挙げて説明したが、複数の記録層を有してもよく、両面ディスクにも同様に適用可能である。
【００２８】
ヘッダ部は、当該記録層のデータ領域内に存在するトラック全体の個数を知らせる‘ｔｏｔａｌ  ｎｕｍｂｅｒ  ｏｆ  ｔｒａｃｋｓ’フィールドと、データ領域内のオープントラックの個数を知らせる‘Ｔｏｔａｌ  ｎｕｍｂｅｒ  ｏｆ  ｏｐｅｎ  ｔｒａｃｋｓ’フィールドを更に含む。この結果、ヘッダ部を介して、トラック情報リストを読み出す前に、トラック情報の全体的な内容が確認できる。
【００２９】
ヘッダ部に続いては後述するトラック情報リストを記録し、トラック情報リストが終ると、トラック終了表示部にてトラック情報の終了を表示する。従って、トラック情報は、ヘッダ部とトラック情報リスト、及びトラック終了表示部から構成され、これらの情報が全て一括して記録される方式である。
【００３０】
以下、トラック情報リストに関する詳細について例を挙げて説明すれば、次の通りである。トラック情報リストは、ディスク内の一つのトラックに対応する一つのエントリを含む。各エントリは、例えば、８バイトずつ割り当てられる。また、各トラック情報エントリは、当該トラックのトラック状態情報と、当該トラックの第一のアドレス情報（Ｓｔｒａｔ  ＰＳＮ  ｏｆ  Ｔｒａｃｋ＃ｎ）と、当該トラックにデータが記録された最後のアドレス情報（ＬＲＡ  ｏｆ  Ｔｒａｃｋ＃ｎ）から構成される。
【００３１】
トラック状態情報は、図２Ｂに示すようなトラックの種類（即ち、オープン、クローズ、中間）を４ビットにて表示した情報である。本発明では、例えば、当該トラック内に追加記録が可能なオープントラックの場合は、‘００００ｂ’にて、インターミーディアタ・トラックの場合は、‘０００１ｂ’にて、追加記録が不可能なトラックのクローズトラックは、‘１０００ｂ’にて表す。前述したように、トラック状態情報を特定のビットにて表示したのは、後述するトラック情報リストエントリのソーティング（ｓｏｒｔｉｎｇ）時に活用するためである。
【００３２】
図２Ｂに示す実施形態において、当該トラックの第一のアドレス情報は、‘Ｓｔｒａｔ  ＰＳＮ（ｐｈｙｓｉｃａｌ  ｓｅｃｔｏｒ  ｎｕｍｂｅｒ）ｏｆ  Ｔｒａｃｋ’フィールド内に記録する。当該フィールドは、トラックを形成する第一のセクタのセクタアドレスを提供する。また、データが記録された最後のアドレス情報は、‘ＬＲＡ  ｏｆ  Ｔｒａｃｋ’フィールド内に記録する。従って、一つのエントリを読み出せば、該当するトラックの種類と開始位置、及びトラック内のＬＲＡ等が確認可能になる。
【００３３】
各エントリ内に存在するトラック状態情報（ｔｒａｃｋ  ｓｔｓｔｕｓ）がセッション開始ビット（ｓｅｓｓｉｏｎ  ｓｔａｒｔ  ｂｉｔ）を含んでもよい。例えば、トラック状態情報内のビットのうちの１ビットをセッション開始ビットとして活用することができる。即ち、セッションは、複数のトラックを一つの群に束ねた状態を意味する。セッション情報は、特定のトラックが当該セッション内における先頭トラックであるか否かを指定する。
【００３４】
（トラック情報のアップデート方法）
トラック情報のアップデートタイミングは、システムや設計者によって様々に活用されればよいが、次の場合は、必ずトラック情報のアップデートを行うことが好ましい。
【００３５】
即ち、新たなトラックが生成されたり、既存のトラックがクローズされたりする時は、トラック情報が新たに生成されるタイミングであるためアップデートが必要である。また、ディスクをドライブから取り出し、又は、電源をオフし、又は、ディスクの使用を一時中止する場合、アップデートが必要である。
【００３６】
図４及び図５は、本発明のトラック情報をアップデートする方法に関する二通りの実施形態を示す図である。図４は、本発明のトラック情報をアップデートする方法に関する実施形態であって、前の段階のトラック情報と現にアップデートするトラック情報を独立して別に記録し、前の段階のトラック情報を現段階でも包含して累積的に記録する方式に関する。
【００３７】
これについて詳述すれば、第（ｎ＋１）番目にアップデートされるトラック情報を記録するためには、第ｎ番目に記録されたトラック情報と第（ｎ＋１）のトラック情報を連続して記録する。即ち、前の段階のトラック情報を含むが、相互別に独立して記録する。同様に、第（ｎ＋２）番目のアップデート時には、第（ｎ＋１）のトラック情報を含むが、相互に独立して記録される。
【００３８】
かかる実施形態の長所は、ディスクの使用順序に沿って発生したトラック情報の内容が順番に記録されていて、ディスクの使用状態の把握が容易になり、最後に存在する最新のトラック情報だけを参照すれば、前の段階の全てのトラック情報が一度に確認可能になり、アクセス時間を縮めることができるという点にある。即ち、仮に最新のトラック情報だけが記録されているとすれば、前のトラック情報へのアクセスが難しくなり、アクセス時間も長くなる。
【００３９】
図５は、本発明のトラック情報をアップデートする方法に関する他の実施形態であって、前の段階のトラック情報と現にアップデートすべきトラック情報ともに含んで累積的に記録し、トラック情報リストを特定の順にソーティングし記録する方式に関する。
【００４０】
これについて詳述すれば、第（ｎ＋１）番目にアップデートされるトラック情報を記録するためには、第ｎ番目に記録されたトラック情報と現にアップデートすべき第（ｎ＋１）のトラック情報を一つのトラック情報リストと仮定してソーティングし、その後、これを特定の順に沿って記録する。
【００４１】
例えば、トラック情報リストは、トラックの種類を表すトラック状態情報（ｔｒａｃｋ ｓｔａｔｕｓ）を基準にしてソーティングされる。例えば、前述した図２Ｂを参照して説明したトラック状態情報のフォーマットを活用すれば、トラック状態情報として‘００００ｂ’を有するオープントラックが先にソーティングされ、続いて‘１０００ｂ’を有するコンプリート（ｃｏｍｐｌｅｔｅ）トラックがソーティングされ、最後には、‘０００１ｂ’をトラック状態情報として有する中間（ｉｎｔｅｒｍｅｄｉａｔｅ）トラックがソーティングされる。同一のトラック状態情報内においては、トラックの第一のアドレス情報を基準にしてソーティングされ、より小さいアドレス値を有するエントリが優先的にソーティングされる。
【００４２】
他のソーティング方式も可能であるところ、例えば、優先的にトラックの第一のアドレス情報を基準にしてソーティングし、より小さい値を有するエントリを最初に記録することも可能である。
【００４３】
なお、これは、単にソーティング基準に関する一つの例に過ぎなく、ソーティングに関連して、システムの設計者は、他のソーティング基準を適用することができ、これは、本発明の技術思想の範囲内に含まれるといえる。
【００４４】
本実施形態の方式の長所は、ディスク内に存在する全てのトラックが種類毎にソーティングされており、所望するトラック種類（例えば、オープントラック）に関する情報が容易に取得できるようになり、また、各トラックのトラック情報がアップデートされ記録されるため、データ領域内のトラック情報を容易に且つ速く獲得することが可能になる点にある。
【００４５】
従って、前述の二通りの実施形態は、相互補完的な側面があり、システムや使用者が各自の環境に適する最適の方式を選択し使用することができる。
【００４６】
図５は、本発明による光ディスクの記録再生装置の実施形態を示す図である。図示したように、エンコーダ９は、データ（例えば、スチールイメージ、オーディオ、ビデオ等）を受信し、これをエンコードし、エンコードしたデータをコーディング情報及びストリーム属性情報と共に出力する。マルチプレクサ８は、コーディング情報及びストリーム属性情報に基づいてエンコードされたデータをマルチプレクスして、例えば、ＭＰＥＧ−２トランスポートストリームを生成する。ソースパケタイザ７は、マルチプレクサ８より伝送されてきたトランスポートストリームを光ディスクのオーディオ／ビデオフォーマットに応じてパケットしソースパケットを生成する。図６に示すように、エンコーダ９、マルチプレクサ８およびソースパケタイザ７は、コントローラ１０の制御を受ける。コントローラ１０は、記録動作のためのユーザーコマンドを受信した後、制御情報をエンコーダ９、マルチプレクサ８およびソースパケタイザ７に提供する。例えば、コントローラ１０は、エンコーダ９に行うべきエンコーディングタイプを指示し、マルチプレクサ８にはトランスポートストリームの生成を指示し、ソースパケタイザ７にはソースパケットのフォーマットを指示する。また、コントローラ１０は、ソースパケタイザ７の出力信号を光ディスク上に記録するためにドライブ３を制御する。
【００４７】
また、コントローラ１０は、光ディスク上に記録されたデータの再生を管理するためのナビゲーション及び管理情報を生成する。例えば、コントローラ１０は、前述した図１〜図３に示すいずれか一つ又は複数のデータ構造を光ディスク上に記録し、前述した記録及び再生方法を行うためにドライブ３を制御する。
【００４８】
再生プロセスまたは追加の記録動作の間、コントローラ１０は、前述したデータ構造を再生するためにドライブ３を制御する。ユーザーインターフェイスを介したユーザー入力のみならず、データ構造内の情報に基づき、コントローラ１０は、前述した光ディスクからデータを再生し、または光ディスクにデータを記録するためにドライブ３を制御する。
【００４９】
ソースデパケタイザ４は、光ディスクから読み出したソースパケットを入力し、これをデータストリーム（例えば、ＭＰＥＧ−２トランスポートストリーム）に変換する。デマルチプレクサ５は、データストリームをエンコードしたデータをデマルチプレクスし、デコーダ６は、エンコードしたデータをデコードし、エンコーダ９に入力された元のデータを復元する。再生動作の間、コントローラ１０は、ソースデパケタイザ４、デマルチプレクサ５およびデコーダ６の動作を制御する。コントローラ１０は、再生動作のためのユーザー命令を受信した後、制御情報をデコーダ６、デマルチプレクサ５、及びソースデパケタイザ４に提供する。例えば、コントローラ１０は、デコーダ６にはデコーディングタイプを指示し、デマルチプレクサ５にはトランスポートストリームのデマルチプレクシングを指示し、ソースデパケタイザ４にはソースパケットのフォーマットを指示する。
【００５０】
図６では、記録及び再生装置を図示したが、前述した再生動作と記録動作の一部分を活用すれば、記録だけが可能であるか、または再生だけが可能な装置を提供することも可能であることは自明である。
【００５１】
追記型光ディスク管理データ構造及びこのデータ構造の記録及び再生方法、及び管理データの更新方法は、記録媒体の使用に関する情報を提供し、連続的な記録領域（例えば、トラック）内にシーケンシャルにデータを記録する。このデータ構造及びこれらの方法は、オープントラックの数が限定されない場合、すなわち、追加的な記録が可能であっても適用可能である。本発明の実施形態に基づく高密度記録媒体のデータ領域を管理するデータ構造及び方法を用いることによって、ＢＤ−ＷＯ等の追記型記録媒体の効率的かつ進歩的な使用が可能になる。上述したことから明らかなように、本発明は、記録媒体のデータ領域を管理する高密度記録媒体におけるデータ構造を記録する装置もまた提供する。
【００５２】
本発明は、制限された実施形態で説明したが、本発明の技術的思想を逸脱することなく種々の変更、または変形的な使用が可能であることは、当該発明の属する技術分野の当業者にとっては自明なことである。例えば、本発明は、複数の例を挙げて追記型ブルーレイディスク（ＢＤ−ＷＯ）について説明したが、本発明は、光ディスク及び光ディスクの規格に制限されず、従って、本発明の特許請求の範囲及びその均等な範囲内での変形的な使用は、本発明に属することは明らかである。
【００５３】
また、添付した図面は、実施形態と共に発明の理解を高めるためのものであって、発明内容の一部として含まれ、また、本発明の実施形態及び概念を説明するために提供する。
【図面の簡単な説明】
【００５４】
【図１】本発明の実施形態の追記型光ディスクの相違するトラックの種類を示す図である。
【図２Ａ】本発明の実施形態の追記型光ディスクのデータ構造であって、特に、仮ディスク管理情報を示す図である。
【図２Ｂ】本発明の実施形態の追記型光ディスクのデータ構造であって、特に、仮ディスク管理情報を示す図である。
【図３】本発明のディスク管理情報と従来の一般の書き換え可能な光ディスクにおけるディスク管理情報とを比較して示す図である。
【図４】本発明のトラック情報をアップデートする方法に関する二通りの実施形態を示す図である。
【図５】本発明のトラック情報をアップデートする方法に関する二通りの実施形態を示す図である。
【図６】本発明の記録再生装置を示す図である。
【図１】
2007528564.tif 000003
2007528564.tif 000004
2007528564.tif 000005
【図３】
2007528564.tif 000006
【図４】
2007528564.tif 000007
【図５】
2007528564.tif 000008
【図６】
2007528564.tif 000009
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
記録媒体のデータ領域を管理するためのデータ構造を備えた記録媒体において、
記録情報と仮記録媒体ステータス情報を含む第１のデータブロックを格納する仮欠陥管理領域を備え、前記記録情報は、前記記録媒体の前記データ領域内の連続記録領域に関する情報を含み、前記仮記録媒体ステータス情報は、前記記録媒体のステータスに関する情報と、前記仮欠陥管理領域内の情報を指す少なくとも１つのポインタとを含むことを特徴とする記録媒体。
【請求項２】
前記第１のデータブロックは、少なくとも１クラスタの大きさを有することを特徴とする請求項１に記載の記録媒体。
【請求項３】
第１のデータブロック内の１セクタは、前記仮記録媒体ステータス情報のために割り当てられ、前記第１のデータブロック内の残りの３１セクタは、前記記録情報のために割り当てられることを特徴とする請求項２に記載の記録媒体。
【請求項４】
前記記録情報の第１のセクタは、仮記録媒体ステータス情報に隣接して位置することを特徴とする請求項３に記載の記録媒体。
【請求項５】
前記記録情報は、ヘッダ部と、各連続記録領域に関するエントリ情報と、終了表示情報を含み、前記ヘッダ部は、記録情報として前記記録情報を識別し、前記各エントリ情報は、対応する連続記録領域に関する情報を含み、前記終了表示情報は、前記記録情報の終りを示すことを特徴とする請求項１に記載の記録媒体。
【請求項６】
前記ヘッダ部は、前記連続記録領域の数を示すことを特徴とする請求項５に記載の記録媒体。
【請求項７】
前記ヘッダ部は、記録のためにオープンされた前記連続記録領域の数を示すことを特徴とする請求項６に記載の記録媒体。
【請求項８】
前記ヘッダ部は、記録のためにオープンされた前記連続記録領域の数を含むことを特徴とする請求項５に記載の記録媒体。
【請求項９】
前記各エントリ情報は、対応する連続記録領域が連続記録領域グループのうちの第１の連続記録領域かどうかを示すことを特徴とする請求項５に記載の記録媒体。
【請求項１０】
前記各エントリ情報は、対応する連続記録領域が記録のためにオープンされているかどうかを示すことを特徴とする請求項５に記載の記録媒体。
【請求項１１】
前記各エントリ情報は、対応する連続記録領域内の先頭の物理的セクタ番号を示すことを特徴とする請求項５に記載の記録媒体。
【請求項１２】
前記各エントリ情報は、対応する連続記録領域内の最後の記録アドレスを示すことを特徴とする請求項５に記載の記録媒体。
【請求項１３】
前記各エントリ情報は、対応する連続記録領域のステータスと、対応する連続記録領域内の先頭の物理的セクタ番号と、対応する連続記録領域内の最後の記録アドレスを示すことを特徴とする請求項５に記載の記録媒体。
【請求項１４】
前記ステータスは、対応する連続記録領域が連続記録領域グループのうちの先頭グループであるかどうかを示すことを特徴とする請求項１３に記載の記録媒体。
【請求項１５】
前記仮記録媒体ステータス情報は、前記仮欠陥管理領域内の仮欠陥リストを指すポインタを含み、前記仮欠陥リストは、前記データ領域内の欠陥を示すことを特徴とする請求項１に記載の記録媒体。
【請求項１６】
前記仮欠陥管理領域は、
第２のデータブロックを備え、前記第２のデータブロックは、前記第１のデータブロックの後に記録された記録情報を含み、前記後に記録された記録情報は、前記第１のデータブロックの前記記録情報と新しい記録情報を含むことを特徴とする請求項１に記載の記録媒体。
【請求項１７】
前記第１のデータブロックと前記第２のデータブロックに記録される前記記録情報は、各々、ヘッダ部と、各連続記録領域に関するエントリ情報と、終了表示情報を含み、前記ヘッダ部は、前記記録情報を記録情報として識別し、前記各エントリ情報は、対応する連続記録領域に関する情報を含み、前記終了表示情報は、前記記録情報の終りを示し、
前記第１のデータブロックと前記第２のデータブロックの前記記録情報内の前記エントリ情報は、エントリ毎にソーティングされることを特徴とする請求項１６に記載の記録媒体。
【請求項１８】
前記第１のデータブロックと前記第２のデータブロックに記録される前記記録情報は、各々、ヘッダ部と、各連続記録領域に関するエントリ情報と、終了表示情報を含み、前記ヘッダ部は、前記記録情報を記録情報として識別し、前記各エントリ情報は、対応する連続記録領域に関する情報を含み、前記終了表示情報は、記録情報の終りを示し、
前記第１のデータブロックと前記第２のデータブロックの前記記録情報内の各エントリ情報は、対応する連続記録領域のステータスを示すステータスインジケータを含み、
前記第１のデータブロックと前記第２のデータブロックの前記記録情報内の前記エントリ情報は、ステータスによってソーティングされることを特徴とする請求項１６に記載の記録媒体。
【請求項１９】
データ領域を管理するためのデータ構造を備えた記録媒体において、
記録情報を格納する仮欠陥管理領域を備え、前記記録情報は、ヘッダ部と、各連続記録領域に関するエントリ情報と、終了表示情報を含み、前記ヘッダ部は、前記記録情報を記録情報として識別し、前記各エントリ情報は、対応する連続記録領域に関する情報を含み、前記終了表示情報は、前記記録情報の終りを示すことを特徴とする記録媒体。
【請求項２０】
前記ヘッダ部は、前記連続記録領域の数を示すことを特徴とする請求項１９に記載の記録媒体。
【請求項２１】
前記ヘッダ部は、記録のためにオープンされた前記連続記録領域の数を示すことを特徴とする請求項２０に記載の記録媒体。
【請求項２２】
前記ヘッダ部は、記録のためにオープンされた前記連続記録領域の数を示すことを特徴とする請求項１９に記載の記録媒体。
【請求項２３】
前記各エントリ情報は、対応する連続記録領域が第１の連続記録領域であるかどうかを示すことを特徴とする請求項１９に記載の記録媒体。
【請求項２４】
前記各エントリ情報は、対応する連続記録領域が記録のためにオープンされているかどうかを示すことを特徴とする請求項１９に記載の記録媒体。
【請求項２５】
前記各エントリ情報は、対応する連続記録領域内の先頭の物理的セクタ番号を示すことを特徴とする請求項１９に記載の記録媒体。
【請求項２６】
前記各エントリ情報は、対応する連続記録領域内の最後の記録アドレスを示すことを特徴とする請求項１９に記載の記録媒体。
【請求項２７】
前記各エントリ情報は、対応する連続記録領域のステータスと、対応する連続記録領域内の先頭の物理的セクタ番号と、対応する連続記録領域内の最後の記録アドレスを示すことを特徴とする請求項１９に記載の記録媒体。
【請求項２８】
前記ステータスは、対応する連続記録領域が連続記録領域グループのうちの最初のグループであるかどうかを示すことを特徴とする請求項２７に記載の記録媒体。
【請求項２９】
記録媒体上に管理データを記録する方法において、
仮欠陥管理領域内にデータブロックを記録することを含み、前記データブロックは、記録情報と仮記録媒体ステータス情報を含み、前記記録情報は、前記記録媒体の前記データ領域内の連続記録領域に関する情報を含み、前記仮記録媒体ステータス情報は、前記仮欠陥管理領域内の情報を指す少なくとも１つのポインタを含むことを特徴とする管理データの記録方法。
【請求項３０】
記録媒体からデータを再生する方法において、
前記記録媒体の仮欠陥管理領域内に記録されたデータブロックに基づいて前記記録媒体に記録されたデータの少なくとも一部を再生することを含み、前記データブロックは、記録情報と仮記録媒体ステータス情報を含み、前記記録情報は、前記記録媒体の前記データ領域内の連続記録領域に関する情報を含み、前記仮記録媒体ステータス情報は、前記仮欠陥管理領域内の情報を指す少なくとも１つのポインタを含むことを特徴とするデータの再生方法。
【請求項３１】
記録媒体上に管理データを記録する装置において、
記録媒体上にデータを記録するために光記録デバイスを駆動するドライバと、
前記ドライバを制御して、仮欠陥管理領域内に記録情報と仮記録媒体ステータス情報を含むデータブロックを記録させる制御部を備え、
前記記録情報は、前記記録媒体の前記データ領域内の連続記録領域に関する情報を含み、前記仮記録媒体ステータス情報は、前記仮欠陥管理領域内の情報を指す少なくとも１つのポインタを含むことを特徴とする管理データの記録装置。
【国際調査報告】
2007528564.tif 000010
2007528564.tif 000011